(57)【要約】【課題】本発明の携帯電話保持具は、携帯電話機の画面位置や携帯電話自体のサイズが異なっても、表示パネル部に干渉せず、タッチパネル方式の携帯電話の操作時や表示内容の確認時に、前記保持構造部が妨げにならないことを課題とする。【解決手段】携帯電話機の裏面と対向する表面を有する保持具本体と、前記保持具本体に対する携帯電話機の保持手段と、取り付け対象への前記保持具本体の固定手段を有し、前記携帯電話機の保持手段は携帯電話機の下端部の底面を支持可能な下端支持部と、携帯電話機の下端部の表面を保持可能な下側バンドと、携帯電話機の下端部から上方に離間した位置で携帯電話機の表面を保持可能な上側バンドを有し、前記上側バンドは上下方向に離間して配置された複数の上側バンドよりなることを特徴とする。【選択図】図１
2014199978.tif 000002
【特許請求の範囲】
【請求項１】
携帯電話機の裏面と対向する表面を有する保持具本体と、前記保持具本体に対する携帯電話機の保持手段と、取り付け対象への前記保持具本体の固定手段を有し、
前記携帯電話機の保持手段は携帯電話機の下端部の底面を支持可能な下端支持部と、
両端部が夫々前記保持具本体の下方位置で前記保持具本体の左右部分に固定され、携帯電話機の下端部の表面を保持可能な下側バンドと、
両端部が夫々前記保持具本体の下方位置から上方に離間した位置で前記保持具本体の左右部分に固定され、携帯電話機の下端部から上方に離間した位置で携帯電話機の表面を保持可能な上側バンドを有し、
前記上側バンドは上下方向に離間して配置された複数の上側バンドよりなり、前記上側バンドは夫々伸縮性を有し、携帯電話機を何れか1つの上側バンドで保持した際に、携帯電話機を非保持状態の前記上側バンドは、前記保持具本体の表面に沿って直線状に配置されるように構成されることを特徴とする携帯電話機保持具。
【請求項２】
前記下端支持部がベルト状部材からなり、前記下端支持部は下端部が前記保持具本体の下部分に固定され、上端部が前記下側バンドに固定されることを特徴とする請求項１記載の携帯電話機保持具。
【請求項３】
前記上側バンドの表面が滑り止め機能を有する部材で構成されることを特徴とする請求項１または２記載の携帯電話機保持具。
【発明の詳細な説明】
【技術分野】
【０００１】
本発明は、スマートフォンを含む携帯電話機を、自動車の車内や、家庭内、身の回り品、および身体等に装着する際に、携帯電話機の表示パネル部を露出させることができ、携帯電話機の画面位置や携帯電話自体のサイズに対して汎用性がある携帯電話機保持具に関する。
【背景技術】
【０００２】
従来の携帯電話機保持具として、特開２０００−１８４９１１号公報では、図９に示す様に、ノートパソコン１５０等に接続する携帯電話機を取り付けるための携帯電話機保持具であって、前記携帯電話機を支持する本体部２０が、携帯電話機の下端部と当接する支持フレーム２１と、前記本体部２０から上方へ延設してノートパソコン等のディスプレイ上縁又は本体上縁に係止する上部係止部２２とからなり、前記本体部２０には携帯電話機を前記本体部２０に締め付けて密着、一体化するベルト２３を取り付けてなり、上部係止部２２は、本体部２０に対して略直角方向に延びてノートパソコン等のディスプレイ又は本体縁部に当接する中間部２４と、前記中間部２４から折り返して本体部２０と略平行に延びるフック部２５とからなる携帯電話機保持具が開示されている。
【０００３】
また、他の従来の携帯電話機保持具として実用新案登録第３０６８３２４号公報では、図１０に示す様に、携帯電話機１００の裏面と当接するホルダーシート３０の表面に面ファスナーの一方の面材を貼着し、且つ前記ホルダーシート３０の表側下方に携帯電話機１００の下方部が嵌まるポケット部３２を形成するとともに、携帯電話機１００の裏面に面ファスナーの他方の面材を接着し、さらにホルダーシート３０の裏側に環状の取り付けバンド３３を備える。携帯電話機１００を使用者の前腕または腰ベルトの所望の位置で保持し、前腕で保持したまま送受信を可能とすることができる携帯電話機保持具が開示されている。
【０００４】
前記特開２０００−１８４９１１号公報で開示される携帯電話機保持具において携帯電話機の上下位置は、携帯電話機の下端部と当接する支持フレーム２１によって決定し、本体部２０のフレーム構造の片側にベルト２３の引出基部２６を設け、携帯電話機に前記ベルト２３を巻きつけ、面ファスナー２７で固定する構造であるため、ベルト２３によって一部の携帯電話の押しボタンが隠れてしまい、操作に支障がでる不具合があった。
【０００５】
また、前記実用新案登録第３０６８３２４号公報で開示される携帯電話機保持具は、携帯電話機１００の押しボタン110がポケット部３２内に保持されているため、操作に支障がでる不具合があり、また携帯電話機１００の裏面に面ファスナーの他方の面材を接着するため、携帯電話機保持具から外して携帯電話機１００を使用する際には、面ファスナーが外面に露出しファッション性が損なわれる欠点があった。
【先行技術文献】
【特許文献】
【０００６】
【特許文献１】特開２０００−１８４９１１号公報
【特許文献２】実用新案登録第３０６８３２４号公報
【発明の概要】
【発明が解決しようとする課題】
【０００７】
本発明の携帯電話保持具は、携帯電話機の画面位置や携帯電話自体のサイズが異なっても、表示パネル部に干渉せず、タッチパネル方式の携帯電話の操作時や表示内容の確認時に、前記保持構造部が妨げにならないことを課題とする。
【課題を解決するための手段】
【０００８】
本発明の携帯電話機保持具は、携帯電話機の裏面と対向する表面を有する保持具本体と、前記保持具本体に対する携帯電話機の保持手段と、取り付け対象への前記保持具本体の固定手段を有し、前記携帯電話機の保持手段は携帯電話機の下端部の底面を支持可能な下端支持部と、両端部が夫々前記保持具本体の下方位置で前記保持具本体の左右部分に固定され、携帯電話機の下端部の表面を保持可能な下側バンドと、両端部が夫々前記保持具本体の下方位置から上方に離間した位置で前記保持具本体の左右部分に固定され、携帯電話機の下端部から上方に離間した位置で携帯電話機の表面を保持可能な上側バンドを有し、前記上側バンドは上下方向に離間して配置された複数の上側バンドよりなり、前記上側バンドは夫々伸縮性を有し、携帯電話機を何れか1つの上側バンドで保持した際に、携帯電話機を非保持状態の前記上側バンドは、前記保持具本体の表面に沿って直線状に配置されるように構成されることを特徴とする。
【０００９】
更に前記下端支持部がベルト状部材からなり、前記下端支持部は下端部が前記保持具本体の下部分に固定され、上端部が前記下側バンドに固定されると良い。
【００１０】
更に前記上側バンドの表面が滑り止め機能を有する部材で構成されると良い。
【発明の効果】
【００１１】
本発明の携帯電話機保持具は、携帯電話機の保持手段が携帯電話機の表示画面を隠すことなく保持可能であり、安価な構成でありながら汎用性が高い点で、従来技術にない優れた効果を有する。
【図面の簡単な説明】
【００１２】
【図１】本発明の実施例に係る使用形態を示す参考図
【図２】本発明の実施例に係る使用形態を示す側面図
【図３】本発明の実施例に係る小さい携帯電話機を保持した使用形態を示す参考図
【図４】本発明の実施例に係る大きい携帯電話機の保持状態を示す平面図
【図５】本発明の実施例に係る大きい携帯電話機の保持状態を示す側面図
【図６】本発明の実施例に係るベルト部材を示す参考図
【図７】本発明の実施例に係るサンバイザーへのベルト部材の装着状態を示す参考図
【図８】本発明の実施例に係る保持具本体の裏面図
【図９】従来技術を示す斜視図
【図１０】他の従来技術を示す平面図
【発明を実施するための形態】
【実施例１】
【００１３】
本発明の第１実施例は、図１〜図８に示すように、携帯電話機１００の裏面と対向する表面を有する保持具本体１と、前記保持具本体１に対する携帯電話機１００の保持手段と、取り付け対象への前記保持具本体１の固定手段を有しする。
【００１４】
前記携帯電話機１００の保持手段は両端部が夫々前記保持具本体１の下方位置で前記保持具本体１の左右部分に固定され、携帯電話機１００の下端部の表面を保持可能な下側バンド２と、下端部が前記保持具本体１の下部分に固定され、上端部が前記下側バンド２に固定され、携帯電話機１００の下端部の底面を支持可能な下端支持バンド３と、両端部が夫々前記保持具本体１の下方位置から上方に離間した位置で前記保持具本体１の左右部分に固定され、携帯電話機１００の下端部から上方に離間した位置で携帯電話機１００の表面を保持可能な上側バンド４を有する。
【００１５】
前記上側バンド４は上下方向に離間して配置された複数の上側バンド４よりなり、前記上側バンド４は夫々伸縮性を有し、携帯電話機１００の上部を保持する際に、その表示画面が前記上側バンド４で隠れないように、少なくとも何れか１つの適切な位置に配置された上側バンド４を選択して携帯電話機１００を保持し、その際に携帯電話機１００を非保持状態にある前記上側バンド４は、前記保持具本体１の表面に沿って直線状に配置されるように構成されるため、携帯電話機１００を保持する際の障害にならない。
【００１６】
前記保持具本体１は摩擦係数の少ない素材を用いた方が携帯電話機１００を保持する際の作業性が良いが、特に自動車など振動や揺れが生じる環境で、本発明の携帯電話機保持具を使用する際には、前記上側バンド４の表面に滑り止め機能を有する部材を配置すると更に良く、その際には上側バンド４の表面の一部もしくは全面にゴム等の滑り止め素材を配置（塗布を含む）すると良い。（図示せず）また、前記保持具本体１の表面の一部に滑り止め素材を配置しても良い。（図示せず）
【００１７】
なお、本発明の携帯電話機保持具は、特にスマートフォンなど表示画面がタッチパネル式で操作可能な携帯電話機１００に使用すると、利便性が高いが、保持する携帯電話機はスマートフォンに限定されず、様々な携帯電話機に使用可能な汎用性を有する。
【００１８】
本実施例の取り付け対象への前記保持具本体１の固定手段は、自動車のサンバイザー２００の外周に対して上下方向にベルト部材５巻き付け、ベルト部材５の端部に固定されたバックル７によってベルト部材５のループ径を縮小させた状態で固定することにより、ベルト部材５がサンバイザー２００にしっかり固定され、前記ベルト部材５の外周面と前記保持具本体１の裏面に面ファスナー６を固定し、互いの面ファスナー６が着脱自在に構成する。
【００１９】
尚、本発明における取り付け対象への前記保持具本体の固定手段は、本実施例に限定されず、既存の固定手段を利用することができ、取り付け対象は、自動車の構成部品に限定されず、自転車等他の乗り物や、家庭内、他の電気器具、身体や衣服、かばんなどに固定して使用しても良い。
【産業上の利用可能性】
【００２０】
本発明の携帯電話機保持具は、安価な構成でありながら、携帯電話機の保持手段が携帯電話機の表示画面を隠すことなく保持可能であり、汎用性が高い携帯電話機保持具として産業上、広く利用することができる。
【符号の説明】
【００２１】
１：保持具本体、２：下側バンド、３：下端支持バンド、４：上側バンド、５：ベルト部材、６：面ファスナー、７：バックル、２０：本体部、２１：支持フレーム、２２：上部係止部、２３：ベルト、２４：中間部、２５：フック部、２６：引出基部、２７：面ファスナー、３０：ホルダーシート、３２：ポケット部、３３：取り付けバンド、１００：携帯電話機、１１０：押しボタン、１５０：ノートパソコン、２００：サンバイザー
【図１】
2014199978.tif 000003
【図２】
2014199978.tif 000004
【図３】
2014199978.tif 000005
【図４】
2014199978.tif 000006
【図５】
2014199978.tif 000007
【図６】
2014199978.tif 000008
【図７】
2014199978.tif 000009
【図８】
2014199978.tif 000010
【図９】
2014199978.tif 000011
【図１０】
2014199978.tif 000012